(57)【要約】【課題】部品点数が少なく、構造の簡素化された定量注出器を提案する。【解決手段】容器（１）の口部（１ａ）で垂下保持されその内側に区画凹所（ｃ）を形成する注出器本体（２）と、この注出器本体（２）の区画凹所（ｃ）の底部を基点に起立し該区画凹所（ｃ）の開放端に向けて伸延するロッド（３）と、このロッド（３）の頭部（３ａ）において進退移動可能に保持されその前進移動によって閉とし後退移動によって開とする経路（ｋ）をもった注出ノズル（４）と、この注出ノズル（４）の後端につながり該ロッド（３）を取り囲むとともに区画凹所（ｃ）で内容物の計量空間（ｍ）を形成する隔壁（５）とにて構成し、前記区画凹所（ｃ）の底部に、容器（１）内の内容物を通過させる通路（６）を設け、前記隔壁（５）に、区画凹所（ｃ）の側壁に沿い摺動可能なシール部材（５ｃ）と、注出ノズル（４）の開閉に伴い前記通路（６）を閉開する弁体（５ｄ）とを設ける。【選択図】図１
2006036314.tif 000002
【特許請求の範囲】
【請求項１】
容器の口部で垂下保持されその内側に区画凹所を形成する注出器本体と、この注出器本体の区画凹所の底部を基点に起立し該区画凹所の開放端に向けて伸延するロッドと、このロッドの頭部に対し進退移動可能としその前進移動によって閉とし後退移動によって開とする経路をもった注出ノズルと、この注出ノズルの後端につながり該ロッドを取り囲むとともに区画凹所で内容物の計量空間を形成する隔壁とからなり、
前記区画凹所の底部に、容器内の内容物を通過させる通路を設け、
前記隔壁に、区画凹所の側壁に沿い摺動可能なシール部材と、注出ノズルの開閉に伴い前記通路を閉開する弁体とを設けたことを特徴とする定量注出器。
【請求項２】
前記ロッドの頭部及び注出ノズルを露出させる開口を有し、注出器本体をその側壁縁部にて容器の口部に挟持固定するカバーを有する請求項1記載の定量注出器。
【請求項３】
ロッドの頭部及び注出ノズルをカバーとともに覆い隠して容器の口部外側に係合保持されるオーバーキャップを備え、
前記オーバーキャップは、その内側壁に注出ノズルの先端に係合する係合凸部を有する請求項２記載の定量注出器。
【発明の詳細な説明】
【技術分野】
【０００１】
本発明は、容器内の内容物を一回使用する分だけ取り出すのに好適な定量注出器に関するものである。
【背景技術】
【０００２】
育毛剤の如き薬液等、一回の使用量が定められたものは、容器内の内容物を取り出すに際しては計量する必要があり、従来は、中栓に配置された円筒部を適宜上下動させて第一弁及び第二弁を交互に開閉することで容器内の内容物を計量筒部に流し込み、該計量筒部内の内容物を注出口を通して外部へ排出するようにしていた（例えば、特許文献1参照）。
【特許文献１】特開２００２−３３７９１０号公報
【０００３】
ところで、従来のこの種の定量注出器は、合成樹脂にて構成されているのが普通でありコストの軽減を図る利点を有するものの、部品点数が多く、構造も比較的複雑であることから、組み込み作業に手間がかかる不利があった。
【発明の開示】
【発明が解決しようとする課題】
【０００４】
本発明の課題は、部品点数が少なく、構造の簡素化を図ることができる新規な定量注出器を提案するところにある。
【課題を解決するための手段】
【０００５】
本発明は、容器の口部で垂下保持されその内側に区画凹所を形成する注出器本体と、この注出器本体の区画凹所の底部を基点に起立し該区画凹所の開放端に向けて伸延するロッドと、このロッドの頭部に対し進退移動可能としその前進移動によって閉とし後退移動によって開とする経路をもった注出ノズルと、この注出ノズルの後端につながり該ロッドを取り囲むとともに区画凹所で内容物の計量空間を形成する隔壁とからなり、
前記区画凹所の底部に、容器内の内容物を通過させる通路を設け、
前記隔壁に、区画凹所の側壁に沿い摺動可能なシール部材と、注出ノズルの開閉に伴い前記通路を閉開する弁体とを設けたことを特徴とする定量注出器である。
【０００６】
上記の構成になる定量注出器においては、前記ロッドの頭部及び注出ノズルを露出させる開口を有し、注出器本体をその側壁縁部にて容器の口部に挟持固定するカバーを設けることができる。
【０００７】
上記の構成になる定量注出器には、ロッドの頭部及び注出ノズルをカバーとともに覆い隠して容器の口部外側に係合保持されるオーバーキャップを備え付けておくことが可能であり、この場合、オーバーキャップには、その内側壁に注出ノズルの先端に係合する係合凸部を設けておくのが望ましい。
【発明の効果】
【０００８】
定量注出器を、容器の口部で垂下される注出器本体と、隔壁と一体になる注出ノズルと、注出器本体を容器の口部に固定するカバーの少なくとも３部材にて構成することができるため構造が簡素化され効率的な組み込みが行える。
【発明を実施するための最良の形態】
【０００９】
以下、図面を用いて本発明をより具体的に説明する。
図１は本発明に従う定量注出器の実施の形態を示したものである。
【００１０】
図における１は内容物を収納する容器、２は容器１の口部１ａで垂下されその内側に区画凹所ｃを形成する注出器本体、３は注出器本体２の区画凹所ｃの底部を基点に起立し該区画凹所ｃの開放端に向けて伸延するロッドである。このロッド３は注出器本体２と一体に成形されるもので、頭部３ａの下端に凹部（又は溝部）３ｂを有している（図３参照）。
【００１１】
４はロッド３の頭部３ａに対し進退移動可能な注出ノズルである。この注出ノズル４は図２に要部を拡大して示す如く、その後退移動（ｘ方向）によってロッド３の凹部（又は溝部）３ｂとの間に隙間形成して該注出ノズル４の下方に形成された内側凸部４ａを開とする一方、その前進移動（ｘ′方向）によって注出ノズル４の内側凸部４ａをロッド３の頭部３ａに接触させて該注出ノズル４を閉とする経路ｋを有している。この注出ノズル４は内側凸部４ａの他にその上部側面に外方に向けて突出する係合部４ｂを有している。
【００１２】
また、５は注出ノズル４の後端に一体的につながりロッド３を取り囲むとともに区画凹所ｃにて内容物の計量空間ｍを形成する隔壁である。この隔壁５は注出ノズル４の後端から外方に向けて延びる天板５ａと該天板５ａの外端から垂下する側壁５ｂとを有しており、当該側壁５ｂには区画凹所ｃの側壁（注出器本体２の内側側壁）に沿い摺動可能なシール部材５ｃと、隔壁５の側壁５ｂ下端にて接触、離反し注出器本体２との関係で開閉弁として機能する弁体５ｄを有する。
【００１３】
また、６は区画凹所ｃの底部に設けられ容器１内の内容物を通過させる通路である。この通路６は注出器本体２の底壁と側壁との連結部位に少なくとも１つ形成されており、注出ノズル４が隔壁５とともに前進移動し、弁体５ｄが離反することによって開放し、該注出ノズル４が隔壁５とともに後退移動し弁体５ｄが接触、適合して閉塞するようになっている。この通路６は、弁体５ｄによって閉塞された時に確実にシールできるように、注出器本体２の底壁には隔壁５の側壁５ｂ下端及びその内側壁が当接する環状の立ち上がり壁ｗが形成されている。
【００１４】
７は注出器本体２をその側壁縁部にて容器１の口部１ａに挟持固定（ねじあるいはアンダーカットによる係合）するカバーである。このカバー７は、ロッド３の頭部３ａ及び注出ノズル４を露出させる開口７ａを有するもので、その天面板７ｂは隔壁５に当接してその移動範囲を規制するストッパーとして機能する。
【００１５】
そして、８はロッド３及び注出ノズル４をカバー７とともに覆い隠すオーバーキャップである。このオーバーキャップ８は容器１の口部１ａにねじあるいはアンダーカットによって係合保持されるもので、その内側壁（天面壁）には、注出ノズル４の先端に形成された係合部４ｂに係合し、オーバーキャップ８の取り外しに際して注出ノズル４を引き上げ（前進移動）ることができる係合凸部８ａを有する。この係合凸部８ａはオーバーキャップ８の内側壁（天面壁）より垂下させた筒状体にて構成することができるが、板状片を環状に間隔を開けて複数配置、垂下させたものでもよく、この点については限定されない。
【００１６】
オーバーキャップ８を取り外すと、図３に示すうように、注出ノズル４は隔壁５とともに引き上げられ（前進移動）、注出ノズル４の経路ｋは閉となり、通路６が開放される。
【００１７】
この状態で、容器１を反転すると、容器１内の内容物は通路６を通して計量空間ｍ内へと流れ込み、この計量空間ｍ内が内容物で満たされることで計量が完了する。
【００１８】
計量が完了した後は、図４に示すように、その姿勢を維持したまま塗布部位でもって注出ノズル４を押し付ける。そうすると、注出ノズル４は後退移動し、経路ｋが開となり、弁体５ｄによって通路６が閉塞され計量空間ｍ内の内容物のみが経路ｋを通して外部へ注出されることになる。
【００１９】
本発明にしたがう定量注出器は、上述の如く基本的には、隔壁５を有する注出ノズル４と、区画凹所ｃを形成する注出器本体２及び該注出器本体２を容器１の口部１ａにて挟持固定するカバー７にて構成することができるもので、部品点数が少なくてすみ、構造が簡素化できるため組み立ても容易に行い得るもので、しかも、計量にかかわる内容物のみを確実に注出することができる。
【００２０】
注出器の構成部材は全て合成樹脂にて成形することが可能であり、育毛剤の薬品類の他、化粧料や調味料等の容器に適用可能でありその用途は広範囲にわたる。
【産業上の利用可能性】
【００２１】
構造が簡素化され、部品点数が少ない定量注出器が提供できる。
【図面の簡単な説明】
【００２２】
【図１】本発明にしたがう定量注出器の実施の形態を示した図である。
【図２】図１に示した流出器の要部拡大図である。
【図３】注出ノズルを前進移動させた状態を示した図である。
【図４】計量空間内の内容物を注出している状態を示した図である。
【符号の説明】
【００２３】
１  容器
１ａ口部
２  注出器本体
３  ロッド
３ａ  頭部
３ｂ  凹部
４  注出ノズル
４ａ  内側凸部
４ｂ  係合部
５  隔壁
５ａ  天板
５ｂ  側壁
５ｃ  シール部材
５ｄ  弁体
６  通路
７  カバー
７ａ  開口
７ｂ  天面板
８  オーバーキャップ
８ａ  係合凸部
ｃ  区画凹所
ｋ  経路
ｍ  計量空間
【図１】
2006036314.tif 000003
【図２】
2006036314.tif 000004
【図３】
2006036314.tif 000005
【図４】
2006036314.tif 000006